(57)【要約】【課題】滞留している配管内での菌の増殖に対し、ミストサウナ運転を始める前に確実に加熱殺菌を行うことができることを目的とする。【解決手段】加湿水制御装置８の上流側に、加湿水を加熱するための加湿水加熱手段１０としての電気ヒータを設けたという構成にしたことにより、前記加湿水が、加湿水制御装置８の上流側で暖められノズル９から噴射するので、滞留している配管内での菌の増殖に対し、ミストサウナ運転を始める前に確実に加熱殺菌を行うことができる浴室空気調和機を得られる。【選択図】図１
2013057475.tif 000002
【特許請求の範囲】
【請求項１】
天井裏に隠蔽される浴室空気調和機のうち、浴室の空気を吸い込んで前記浴室に戻す循環ファンおよび循環モータと、前記浴室の空気を吸い込んで屋外に排出する換気ファンおよび換気モータと、前記浴室から吸い込んだ空気を加熱する循環風加熱手段と、前記浴室から吸い込んだ空気を加湿する循環風加湿手段として、循環風に加湿水を供給するための加湿水配管と、加湿水の供給を制御するための加湿水制御装置と、加湿水が噴射されるノズルとを備えた浴室空気調和機であって、前記加湿水制御装置の上流側に、加湿水を加熱するための加湿水加熱手段としての電気ヒータを設けたことを特徴とする浴室空気調和機。
【請求項２】
加湿水配管に、加湿水温度検出手段を設けたことを特徴とする請求項１に記載の浴室空気調和機。
【請求項３】
加湿水加熱手段は、循環風加熱手段と一体化したことを特徴とする請求項１に記載の浴室空気調和機。
【発明の詳細な説明】
【技術分野】
【０００１】
本発明は、天井裏に設置される浴室空気調和機に関するものである。
【背景技術】
【０００２】
従来、この種の浴室空気調和機には加湿水制御装置の下流に設置した熱源を使用して加湿しているものがある（例えば、特許文献１参照）。
【０００３】
以下、その浴室空気調和機について図５を参照しながら説明する。
【０００４】
図５に示すように、浴室空気調和機１０１は浴室１０９の空気を吸い込んで浴室１０９に戻す循環ファン１０２および循環モータ１０３と、浴室１０９から吸い込んだ空気を加熱する循環風加熱手段１０４と、浴室１０９から吸い込んだ空気を加湿する循環風加湿手段として、循環風に加湿水を供給するための加湿水配管１０５と、前記加湿水の供給を制御するための加湿水制御装置１０６と、前記加湿水が噴射されるノズル１０７とを備えた浴室空気調和機であって、加湿水制御装置１０６の下流側に、前記加湿水を加熱するための加湿水加熱手段１０８を設け、ミストサウナ運転時においては、加湿水加熱手段１０８で前記加湿水を加熱して浴室１０９内に供給している。
【先行技術文献】
【特許文献】
【０００５】
【特許文献１】特開２００３−２０７１７６号公報
【発明の概要】
【発明が解決しようとする課題】
【０００６】
このような特許文献１のような浴室空気調和機においては、加湿水制御装置の下流側に加湿水加熱手段があり、水の温度や雰囲気によっては十分に加熱が行えず、滞留している配管内の菌が十分に加熱殺菌される温度に達する前に浴室内に噴霧される可能性がある、という課題を有していた。
【０００７】
そこで本発明は、上記従来の課題を解決するものであり、滞留している配管内での菌の増殖に対し、ミストサウナ運転を始める前に確実に加熱殺菌を行うことができる浴室空気調和機を提供することを目的とする。
【課題を解決するための手段】
【０００８】
そして、この目的を達成するために、本発明は、天井裏に隠蔽される浴室空気調和機のうち、浴室の空気を吸い込んで前記浴室に戻す循環ファンおよび循環モータと、前記浴室の空気を吸い込んで屋外に排出する換気ファンおよび換気モータと、前記浴室から吸い込んだ空気を加熱する循環風加熱手段と、前記浴室から吸い込んだ空気を加湿する循環風加湿手段と、前記加湿手段に加湿水を供給するための加湿水配管と、加湿水の供給を制御するための加湿水制御装置と、加湿水が噴射されるノズルとを備えた浴室空気調和機であって、前記加湿水制御装置の上流側に、加湿水を加熱するための加湿水加熱手段としての電気ヒータを設けたこととしたものであり、これにより所期の目的を達成するものである。
【発明の効果】
【０００９】
本発明によれば、天井裏に隠蔽される浴室空気調和機のうち、浴室の空気を吸い込んで前記浴室に戻す循環風路および循環モータと、前記浴室の空気を吸い込んで屋外に排出する換気風路および換気モータと、前記浴室から吸い込んだ空気を加熱する循環風加熱手段と、前記浴室から吸い込んだ空気を加湿する循環風加湿手段として、循環風に加湿水を供給するための加湿水配管と、加湿水の供給を制御するための加湿水制御装置と、加湿水が噴射されるノズルとを備えた浴室空気調和機であって、前記加湿水制御装置の上流側に、加湿水を加熱するための加湿水加熱手段としての電気ヒータを設けたという構成にしたことにより、加湿水が、加湿水制御装置の上流側で暖められノズルから噴射することとなるので、滞留している配管内での菌の増殖に対し、ミストサウナ運転を始める前に確実に加熱殺菌を行うことができる、という効果を得ることができる。
【図面の簡単な説明】
【００１０】
【図１】本発明の実施の形態１の浴室空気調和機を示す側構成図
【図２】同浴室空気調和機における加湿時の制御フロー図
【図３】本発明の実施の形態２の浴室空気調和機を示す側構成図
【図４】本発明の実施の形態３の浴室空気調和機を示す側構成図
【図５】従来の浴室空気調和機を示す構成図
【発明を実施するための形態】
【００１１】
本発明の請求項１記載の浴室空気調和機は、天井裏に隠蔽される浴室空気調和機のうち、浴室の空気を吸い込んで前記浴室に戻す循環ファンおよび循環モータと、前記浴室の空気を吸い込んで屋外に排出する換気ファンおよび換気モータと、前記浴室から吸い込んだ空気を加熱する循環風加熱手段と、前記浴室から吸い込んだ空気を加湿する循環風加湿手段として、循環風に加湿水を供給するための加湿水配管と、加湿水の供給を制御するための加湿水制御装置と、加湿水が噴射されるノズルとを備えた浴室空気調和機であって、前記加湿水制御装置の上流側に、加湿水を加熱するための加湿水加熱手段としての電気ヒータを設けた、という構成を有する。これにより、加湿水が、加湿水制御装置の上流側で暖められノズルから噴射することとなるので、滞留している配管内での菌の増殖に対し、ミストサウナ運転を始める前に確実に加熱殺菌を行うことができる、という効果を奏する。
【００１２】
また、加湿水配管に、加湿水温度検出手段を設けた、という構成にしてもよい。これにより、加湿水の水温を検出することとなるので、加湿水が必要な温度になったのを確認してから、ノズルから噴射することができる、という効果を奏する。
【００１３】
また、加湿水加熱手段は、循環風加熱手段と一体化した、という構成にしてもよい。これにより、循環風加熱手段と加湿水加熱手段が一体化することとなるので、加湿手段を減らして加湿水加熱用の配管を削減し、浴室空気調和機内のスペースを削減できる、という効果を奏する。
【００１４】
以下、本発明の実施の形態について図面を参照しながら説明する。
【００１５】
（実施の形態１）
図１に示すように、天井裏に設置される浴室空気調和機について、箱型の本体１内に循環ケーシング２を設け、その内部に設置された循環ファン３および循環モータ４にて吸い込み、循環風路５側に吹き出す。吹き出された空気は循環風路５内に設置された循環風加熱手段６であるＰＴＣヒータを通して加熱され、浴室側吹出し部１１から浴室２１に戻す構成である。これにより、浴室２１内の暖房を行うことができる。
【００１６】
なお、循環ファン３はシロッコファンがよく、機内圧損が高くても風量がかせげるためである。
【００１７】
また、循環モータはＤＣモータが望ましい。
【００１８】
また、ＰＴＣヒータを用いたのは、安全性が良いからである。
【００１９】
本実施の形態では、意匠パネル１２の吹出口２５にルーバ１３を設けており、図示していないステッピングモータ等で駆動することで、浴室側吹出し部１１からの加熱された空気の吹き出し方向を変更することができる。
【００２０】
また、浴室２１の空気を図示していない換気ケーシング、換気ファンおよび換気モータにて吸い込み、本体１の一側面（望ましくは図示していない点検口側およびその両側面）に設けた排気口１６を通して浴室２１外に排出する。これにより、浴室２１内の換気を行うことができる。
【００２１】
また、本体１の内部に位置する加湿水配管７ｂと、加湿水の投入を制御する加湿水制御装置８とノズル９を備え、本体１の外部に位置する後述の主管１７から枝分かれしている枝管７ａと加湿水配管７ｂとを接続して、本体１の外部に位置する水道管である主管１７からの水が本体１内に導かれることで、浴室２１内に加湿水を投入することができる。
【００２２】
ノズル９はルーバ１３内にネジ等にて固定され、循環風の吹き出し方向が変更されるのに合わせて、前記加湿水の吹き出し方向をも変更できる。
【００２３】
また、前記浴室空気調和機は、運転の制御を行なう運転制御手段としての電装基板１４と、前記浴室空気調和機を脱衣室２２から操作し運転状態を表示する操作手段としての脱衣室コントローラ２４を備え、脱衣室コントローラ２４からの操作により、前記浴室空気調和機の運転を行うことができる。
【００２４】
なお、前記浴室空気調和機を浴室２１内から操作し運転状態を表示する操作手段としての浴室コントローラ２３を備えた浴室空気調和機でも良い。
【００２５】
本発明の実施の形態１の前記浴室空気調和機は、電気ヒータである加湿水加熱手段１０を加湿水制御装置８の水の流れに対して上流側に備えていることを特徴としている。
【００２６】
加湿水加熱手段１０を加湿水制御装置８の上流側に備えていることにより、前記加湿水を十分に加熱してから浴室２１内に供給することができることとなり、加湿水配管７ｂ内に滞留している菌の増殖に対し、ミストサウナ運転を始める前に確実に加熱殺菌を行うことができる。
【００２７】
また、加湿水加熱手段１０として電気ヒータを使用することにより、例えば温水器のような外部からの熱源を接続する必要が無いため、施工性の高い浴室空気調和機を提供することができる。
【００２８】
また、本発明の浴室空気調和機は加湿水配管７ｂに加湿水温度検知手段１５を設けており、例えば、加湿水配管７ｂ内の水温Ｔがあらかじめ指示された温度Ｔ１以上になったことを検知するまで浴室２１への加湿水供給は行わないこととしている。例えば、８０℃以上になったことを検知してから加湿水の供給を行うことで、配管内に滞留している菌を確実に殺菌し、安全なミストを浴室に供給することができる。
【００２９】
図２にミストサウナ運転時の制御フロー図を示す。
【００３０】
本制御フローには示していないが、水温Ｔ１を検出してからＹ秒以上経過後は、加湿水配管７ｂ内の水温ＴがＴ２以上になることで、浴室２１への加湿水供給を行うことにしても良い。ここで、一般的にはＴ１＞Ｔ２である。
【００３１】
これは、Ｙ秒以上経過後には枝管７ａおよび加湿水配管７ｂ内の残水は既に加温されて殺菌され、新たに主管１７から菌のいない新鮮な水が供給されているので、必ずしもミストサウナ運転開始直後ほど高温にする必要が無いためである。
【００３２】
（実施の形態２）
図３において、図１と同様の構成要素については同一の符号を付し、その詳細な説明は省略する。
【００３３】
本実施の形態では、ノズル９から循環風路５内に加湿水を投入する構成としている。
【００３４】
これにより、循環風路５内の壁面に加湿水を吹き付けてスチーム状にし、循環風加熱手段６で暖められた浴室２１の空気と混ぜ合わせることで、高温高湿の空気として浴室２１に投入することができる。
【００３５】
本実施の形態において、前記循環風に対して循環風加熱手段６の下流側にノズル９を設置する構成としている。これにより、循環風加熱手段６にスケールが堆積することを防ぐことができるため、風路の減少による加熱能力の低下およびスケールの浸食による循環風加熱手段６の劣化を防ぐことができる。
【００３６】
（実施の形態３）
図４において、図１、３と同様の構成要素については同一の符号を付し、その詳細な説明は省略する。
【００３７】
本実施の形態では、加湿水加熱手段１０を廃し、循環風加熱手段６と一体化した構成としている。加湿手段を減らして加湿水加熱用の配管を削減し、浴室空気調和機内のスペースを削減できる。
【産業上の利用可能性】
【００３８】
本発明にかかる浴室空気調和機は、給水配管内の水温が一定以上になったことを確認してからミスト供給することを可能とするものであるので、浴室等の暖房に使用される浴室空気調和機等として有用である。
【符号の説明】
【００３９】
１    本体
２    循環ケーシング
３    循環ファン
４    循環モータ
５    循環風路
６    循環風加熱手段
７ａ  枝管
７ｂ  加湿水配管
８    加湿水制御装置
９    ノズル
１０  加湿水加熱手段
１１  浴室側吹出し部
１２  意匠パネル
１３  ルーバ
１４  電装基板
１５  加湿水温度検知手段
１６  排気口
１７  主管
２１  浴室
２２  脱衣室
２３  浴室コントローラ
２４  脱衣室コントローラ
【図１】
2013057475.tif 000003
【図２】
2013057475.tif 000004
【図３】
2013057475.tif 000005
【図４】
2013057475.tif 000006
【図５】
2013057475.tif 000007